(57)【要約】【課題】レーザ光によるウェブの焦げを低コストで抑制し、ミシン目の外観が損なわれることを抑制できるミシン目形成装置を提供する。【解決手段】本発明によるミシン目形成装置１は、搬送されているウェブ２を案内する案内板２０と、案内板２０に案内されているウェブ２に向けてレーザ光Ｌを発振するレーザ光発振部３１と、レーザ光発振部３１から発振されたレーザ光Ｌを、ウェブ２の幅方向に沿ってミシン目４０を形成するようにレーザ光Ｌの照射方向を回動させてレーザ光Ｌを走査するレーザ光走査部３３と、を備えている。案内板２０は、レーザ光走査部３３により走査されるレーザ光Ｌの走査方向に沿ってレーザ光走査部３３に向かって凹状に湾曲した湾曲部２１を有している。【選択図】図２
2014012289.tif 000002
【特許請求の範囲】
【請求項１】
連続的に搬送されているウェブに、レーザ光を照射して、搬送方向に直交するウェブの幅方向に沿ってミシン目を形成するミシン目形成装置において、
搬送されている前記ウェブを案内する案内板と、
前記案内板に案内されている前記ウェブに向けて前記レーザ光を発振するレーザ光発振部と、
前記レーザ光発振部から発振されたレーザ光を、前記ウェブの幅方向に沿ってミシン目を形成するように前記レーザ光の照射方向を回動させて前記レーザ光を走査するレーザ光走査部と、を備え、
前記案内板は、前記レーザ光走査部により走査される前記レーザ光の走査方向に沿って前記レーザ光走査部に向かって凹状に湾曲した湾曲部を有していることを特徴とするミシン目形成装置。
【請求項２】
前記案内板の前記湾曲部は、前記レーザ光の照射方向の回動中心を中心として、前記レーザ光の走査方向に沿って円弧状に形成されていることを特徴とする請求項１に記載のミシン目形成装置。
【請求項３】
前記ウェブは、前記案内板に対して前記レーザ光走査部の側とは反対側に配置され、
前記案内板の前記湾曲部に、前記レーザ光走査部によって走査される前記レーザ光を通す案内板開口部が設けられ、
前記湾曲部は、前記案内板開口部の搬送方向上流側に設けられた上流側湾曲部と、前記案内板開口部の搬送方向下流側に設けられた下流側湾曲部と、を含んでいることを特徴とする請求項１または２に記載のミシン目形成装置。
【請求項４】
前記案内板開口部は、前記レーザ光の走査方向に沿ってスリット状に形成されていることを特徴とする請求項３に記載のミシン目形成装置。
【請求項５】
前記案内板開口部は、前記ウェブの搬送方向に沿って矩形状に形成されていることを特徴とする請求項３に記載のミシン目形成装置。
【請求項６】
前記案内板は、前記ウェブの搬送方向に沿ってＵ字状に形成されていることを特徴とする請求項３乃至５のいずれかに記載のミシン目形成装置。
【請求項７】
前記ウェブは、前記案内板に対して前記レーザ光走査部の側に配置され、
前記案内板は、前記ウェブの搬送方向に沿って直線状に形成されていることを特徴とする請求項１または２に記載のミシン目形成装置。
【請求項８】
前記案内板は、前記湾曲部より前記ウェブの搬送方向上流側に設けられた入口部と、前記湾曲部より前記ウェブの搬送方向下流側に設けられた出口部と、を更に有し、
前記入口部および前記出口部は、前記ウェブの幅方向において平坦状に形成され、
前記案内板は、前記入口部から前記湾曲部に向かって徐々に湾曲するとともに、前記出口部から前記湾曲部に向かって徐々に湾曲するように形成されていることを特徴とする請求項１乃至７のいずれかに記載のミシン目形成装置。
【発明の詳細な説明】
【技術分野】
【０００１】
本発明は、連続的に搬送されているウェブに、レーザ光を照射して、搬送方向に直交するウェブの幅方向に沿ってミシン目を形成するミシン目形成装置に係り、とりわけ、レーザ光によるウェブの焦げを低コストで抑制し、ミシン目の外観が損なわれることを抑制できるミシン目形成装置に関する。
【背景技術】
【０００２】
従来より、ロールｔｏロール方式で連続的に搬送されているウェブ（例えば、紙シート）に、刃物を用いて、ウェブの幅方向（搬送方向に直交する方向）に沿ってミシン目を形成するミシン目形成装置が知られている。しかしながら、このように刃物を用いる場合には、ミシン目の開口部にバリが発生しやすく、ミシン目の外観が損なわれるという問題があった。また、刃物が磨耗した場合には、交換が必要になるという問題もあった。
【０００３】
このようなことに対処するために、レーザ光を照射して、ウェブの幅方向に沿ってミシン目を形成するミシン目形成装置が知られている（例えば、特許文献１乃至５参照）。このようなミシン目形成装置は、一般的に図７に示すような形態で構成されている。すなわち、図７に示すミシン目形成装置５１においては、ガイドローラ５３によって案内されながらＸ方向に搬送されているウェブ５２の上方に、レーザ光Ｌを発振するレーザ光発振器５４が設けられ、当該レーザ光発振器５４からウェブ５２に照射されるレーザ光Ｌが、レーザ光走査ヘッド５４ａによって所定の方向にスキャン（走査）される。このようにしてウェブ５２がレーザ加工されて、ウェブ５２の幅方向（図７に示すＹ方向）に沿ってミシン目５５が形成される。
【先行技術文献】
【特許文献】
【０００４】
【特許文献１】特開２００１−２４２４１０号公報
【特許文献２】特開２００１−２５９８６９号公報
【特許文献３】特開２００１−２５９８７６号公報
【特許文献４】特開２００８−２８４５７２号公報
【特許文献５】特開２００４−２４９３３３号公報
【発明の概要】
【発明が解決しようとする課題】
【０００５】
特許文献１乃至３に示すミシン目形成装置では、レーザ光源から発振されたレーザ光が、回動自在な反射鏡を介してウェブに走査されて、ウェブがレーザ加工される。この場合、ウェブには集光されたレーザ光が照射され、ウェブが焼き切られる。これにより、ウェブに、複数のミシン目開口部が形成され、これら複数のミシン目開口部の集合体としてミシン目が得られるようになっている。
【０００６】
しかしながら、ウェブをレーザ加工する場合、ウェブを焼き切ることにより、ウェブのレーザ加工された部分が焦げる。具体的には、上述したミシン目開口部を形成する開口形成面に焦げが発生する。このような焦げは、ウェブの材料が紙である場合、紙の主成分である炭酸カルシウムや、ウェブに塗布されてウェブ中に染み込んだ表面コーティング剤が、レーザ光で焼かれて炭化することにより、発生するものである。なお、このようなウェブの焦げは、紙に関わらず、他の材料で形成されたウェブにおいても発生し得る。
【０００７】
ウェブ５２の幅方向中央部に照射されるレーザ光Ｌは、図８に示すように、ウェブ５２に略垂直に照射される。すなわち、ウェブ５２の幅方向中央部に形成されるミシン目開口部５６は、その開口形成面５７がウェブ５２の表面（または裏面）に対して比較的垂直に近くなるように形成される。このため、当該開口形成面５７の面積は小さくなり、焦げの面積も小さくなる。また、ミシン目開口部５６の開口形成面５７が垂直に近いため、ウェブ５２の表面から見た場合、ミシン目開口部５６の開口形成面５７に発生した焦げは、比較的目立たなくなる。
【０００８】
しかしながら、ウェブ５２の幅方向両側部に照射されるレーザ光Ｌは、ウェブ５２に傾斜して照射される。すなわち、幅方向両側部に照射されるレーザ光Ｌは、幅方向の中央部に照射されるレーザ光Ｌに対して角度θだけ傾斜する。このため、ウェブ５２の幅方向両側部に形成されるミシン目開口部５６は、その開口形成面５７が傾斜するように形成される。このため、当該開口形成面５７の面積は大きくなり、焦げの面積も大きくなる。また、ウェブ５２の表面から見た場合、ミシン目開口部５６の開口形成面５７が傾斜しているため、ミシン目開口部５６の開口形成面５７に発生した焦げが目立つようになり、ミシン目５５の外観が損なわれるという問題がある。特に、ウェブ５２の幅が大きい場合には、ミシン目開口部５６の開口形成面５７がより一層傾斜する可能性があり、この場合、焦げがより一層目立つようになる。
【０００９】
特許文献４においては、被加工物にレーザ光を照射する際に発生する分解物を、レーザ光の照射部分の近傍で吸引することが記載されている。しかしながら、焦げは紙に発生しているため、この焦げ自体を吸引することは困難である。
【００１０】
特許文献５においては、紙等のシートをレーザ加工する際に焦げの発生を防止するために、冷却用気体をレーザ光の照射部位に吹き付けることが記載されている。しかしながら、この場合、レーザ加工を行っている間、常時冷却用気体を吹き付ける必要が生じる。このため、冷却用気体を吹き付けるためのコストがかかるという問題がある。
【００１１】
本発明は、このような点を考慮してなされたものであり、レーザ光によるウェブの焦げを低コストで抑制し、ミシン目の外観が損なわれることを抑制できるミシン目形成装置を提供することを目的とする。
【課題を解決するための手段】
【００１２】
本発明は、連続的に搬送されているウェブに、レーザ光を照射して、搬送方向に直交するウェブの幅方向に沿ってミシン目を形成するミシン目形成装置において、搬送されている前記ウェブを案内する案内板と、前記案内板に案内されている前記ウェブに向けて前記レーザ光を発振するレーザ光発振部と、前記レーザ光発振部から発振されたレーザ光を、前記ウェブの幅方向に沿ってミシン目を形成するように前記レーザ光の照射方向を回動させて前記レーザ光を走査するレーザ光走査部と、を備え、前記案内板は、前記レーザ光走査部により走査される前記レーザ光の走査方向に沿って前記レーザ光走査部に向かって凹状に湾曲した湾曲部を有していることを特徴とするミシン目形成装置を提供する。
【００１３】
なお、上述したミシン目形成装置においては、前記案内板の前記湾曲部は、前記レーザ光の照射方向の回動中心を中心として、前記レーザ光の走査方向に沿って円弧状に形成されている、ことが好ましい。
【００１４】
また、上述したミシン目形成装置においては、前記ウェブは、前記案内板に対して前記レーザ光走査部の側とは反対側に配置され、前記案内板の前記湾曲部に、前記レーザ光走査部によって走査される前記レーザ光を通す案内板開口部が設けられ、前記湾曲部は、前記案内板開口部の搬送方向上流側に設けられた上流側湾曲部と、前記案内板開口部の搬送方向下流側に設けられた下流側湾曲部と、を含んでいる、ことが好ましい。
【００１５】
また、上述したミシン目形成装置においては、前記案内板開口部は、前記レーザ光の走査方向に沿ってスリット状に形成されている、ことが好ましい。
【００１６】
また、上述したミシン目形成装置においては、前記案内板開口部は、前記ウェブの搬送方向に沿って矩形状に形成されている、ことが好ましい。
【００１７】
また、上述したミシン目形成装置においては、前記案内板は、前記ウェブの搬送方向に沿ってＵ字状に形成されている、ことが好ましい。
【００１８】
また、上述したミシン目形成装置においては、前記ウェブは、前記案内板に対して前記レーザ光走査部の側に配置され、前記案内板は、前記ウェブの搬送方向に沿って直線状に形成されている、ことが好ましい。
【００１９】
また、上述したミシン目形成装置においては、前記案内板は、前記湾曲部より前記ウェブの搬送方向上流側に設けられた入口部と、前記湾曲部より前記ウェブの搬送方向下流側に設けられた出口部と、を更に有し、前記入口部および前記出口部は、前記ウェブの幅方向において平坦状に形成され、前記案内板は、前記入口部から前記湾曲部に向かって徐々に湾曲するとともに、前記出口部から前記湾曲部に向かって徐々に湾曲するように形成されている、ことが好ましい。
【発明の効果】
【００２０】
本発明によれば、レーザ光によるウェブの焦げを低コストで抑制し、ミシン目の外観が損なわれることを抑制できる。
【図面の簡単な説明】
【００２１】
【図１】図１は、本発明の第１の実施の形態におけるミシン目形成装置の全体構成を示す図である。
【図２】図２は、図１のミシン目形成装置の案内板を示す斜視図である。
【図３】図３は、図２のＡ方向から見た図であって、ウェブおよび案内板を平坦状にして示した図である。
【図４】図４は、図３のＢ−Ｂ線における案内板の断面図である。
【図５】図５は、図１のミシン目形成装置において形成されたミシン目開口部を示す断面図である。
【図６】図６は、本発明の第２の実施の形態におけるミシン目形成装置の案内板を示す斜視図である。
【図７】図７は、従来のミシン目形成装置を示す図である。
【図８】図８は、従来のミシン目形成装置におけるミシン目開口部を示す断面図である。
【発明を実施するための形態】
【００２２】
図１乃至図５を用いて、本発明の実施の形態におけるミシン目形成装置について説明する。ミシン目形成装置は、連続的に搬送されているウェブ（例えば、紙シート）に、例えば炭酸ガスレーザからなるレーザ光を照射して、搬送方向に直交する幅方向に沿ってミシン目を形成するためのものである。なお、本明細書に添付する図面においては、図示と理解のしやすさの便宜上、適宜縮尺および縦横の寸法比等を、実物のそれらから変更し誇張してある。
【００２３】
（第１の実施の形態）
図１に示すように、ミシン目形成装置１は、帯状に連続したウェブ（例えば、紙シート）２が巻き付けられた給紙部１０と、給紙部１０の搬送方向下流側に設けられ、給紙部１０から搬送されたウェブ２を案内する案内板２０と、案内板２０に案内されているウェブ２に向けてレーザ光Ｌを発振するレーザ光発振器３０と、を備えている。本実施の形態においては、ウェブ２は、案内板２０に対してレーザ光発振器３０の側とは反対側に配置されている。
【００２４】
給紙部１０と案内板２０との間には、蛇行補正部１１、第１Ｓ字プルローラ１２および第１ダンサーローラ１３が、この順に設けられている。このうち、蛇行補正部１１は、給紙部１０から搬送されたウェブ２の搬送方向（図１乃至図３に示すＸ方向）に直交する幅方向（図３に示すＹ方向）の位置を調整して、ウェブ２の蛇行を補正するためのものである。第１Ｓ字プルローラ１２は、給紙部１０から案内板２０に搬送されるウェブ２の搬送速度を調整するためのものである。第１ダンサーローラ１３は、ダンサーの位置に基づいて案内板２０に搬送されるウェブ２のテンション（張力）を測定するように構成されている。
【００２５】
案内板２０の搬送方向下流側には、第２ダンサーローラ１４および第２Ｓ字プルローラ１５が、この順に設けられている。第２ダンサーローラ１４は、第１ダンサーローラ１３と同様に、ダンサーの位置に基づいて案内板２０から搬送されるウェブ２のテンションを測定するように構成されている。第２Ｓ字プルローラ１５は、案内板２０から搬送されるウェブ２の搬送速度を調整するためのものである。第２Ｓ字プルローラ１５の搬送方向下流側には、ミシン目４０（図３参照）が形成されたウェブ２を巻き取る巻取部１６が設けられている。なお、第２Ｓ字プルローラ１５と巻取部１６との間に、給紙部１０と第１Ｓ字プルローラ１２との間と同様に蛇行補正部１１が設けられていてもよい。この場合、巻取部１６に搬送されるウェブ２の蛇行を補正することが可能となる。
【００２６】
第１ダンサーローラ１３において測定されたウェブ２のテンションが所定の範囲から外れた場合、第１Ｓ字プルローラ１２および第２Ｓ字プルローラ１５によりウェブ２の搬送速度が調整される。同様に、第２ダンサーローラ１４において測定されたウェブ２のテンションが所定の範囲から外れた場合には、第１Ｓ字プルローラ１２および第２Ｓ字プルローラ１５によりウェブ２の搬送速度が調整される。このようにして、搬送されているウェブ２のテンションが所定の範囲内に収まるように構成されている。なお、ウェブ２の搬送速度の調整は、第１Ｓ字プルローラ１２のみによって行ってもよく、あるいは、第２Ｓ字プルローラ１５のみによって行ってもよい。また、ダンサーローラ１３、１４の代わりに、テンションピックアップローラ（図示せず）を用いることもできる。さらに、図１においては、第２Ｓ字プルローラ１５の搬送方向下流側に巻取部１６が設けられている例を示しているが、これに限られることはなく、ミシン目４０が形成されたウェブ２が、巻き取られることなく、その他の図示しないプリント機器、加工機などに搬送されるようにしてもよい。
【００２７】
このようにして搬送されるウェブ２は、給紙部１０から巻取部１６に搬送されている間に、適所に設けられた複数のガイドローラ１７によって案内されるようになっている。
【００２８】
また、案内板２０の下方には、集塵器１８が設けられている。この集塵器１８は、レーザ光Ｌによってレーザ加工されたウェブ２から発生するウェブ２の屑などを集塵するためのものである。このような集塵器１８は、自由落下したウェブ２の屑を受け取る受取部１８ａと、受取部１８ａの下部に設けられ、受取部１８ａに受け取られたウェブ２の屑を集めるスクリューローラ１８ｂと、を有する構成とすることができる。このスクリューローラ１８ｂは、ウェブ２の屑を集めて外部に排出する。
【００２９】
次に、図２乃至図４を用いて、案内板２０およびレーザ光発振器３０について説明する。このうち、まず、レーザ光発振器３０について説明する。
【００３０】
図２に示すように、レーザ光発振器３０は、案内板２０に案内されているウェブ２に向けてレーザ光Ｌを発振するレーザ光発振部３１と、レーザ光発振部３１から発振されたレーザ光Ｌを走査するレーザ光走査ヘッド３２と、を有している。このレーザ光発振器３０は、ミシン目形成装置１の図示しない本体フレームに固定されている。
【００３１】
レーザ光走査ヘッド３２は、レーザ光発振部３１から発振されたレーザ光Ｌを走査する回動自在な反射鏡（レーザ光走査部、図４参照）３３と、反射鏡３３を回動させるスキャナー（図示せず）と、を含んでいる。スキャナーが反射鏡３３を回動させることにより、レーザ光発振部３１から発振されたレーザ光Ｌは、その照射方向を回動させて、走査方向（図２乃至図４に示すＺ方向）に沿って走査される。レーザ光Ｌの走査方向は、図２のＡ方向からウェブ２を平坦状にして見た場合、図３に示すように、ウェブ２の搬送方向に対して所定の角度で傾斜している。この角度は、ウェブ２の搬送速度に応じて適宜設定される、あるいは、この角度に応じて、ウェブ２の搬送速度が適宜設定される。これにより、ウェブ２の幅方向に沿ってミシン目４０が形成されるようになる。なお、図３は、ウェブ２の幅方向全体にわたってミシン目４０が形成されている例を示しているが、本実施の形態によるミシン目形成装置１は、幅方向の一部にミシン目を形成する場合にも適用することは可能である。また、図面を明瞭にするために、図２においては、ウェブ２は省略し、図３においては、レーザ光発振器３０は省略している。
【００３２】
次に、案内板２０について説明する。案内板２０は、レーザ光発振器３０と同様に、ミシン目形成装置１の図示しない本体フレームに固定されている。
【００３３】
図２および図４に示すように、案内板２０は、レーザ光走査ヘッド３２により走査されるレーザ光Ｌの走査方向に沿って湾曲した湾曲部２１を有している。この湾曲部２１は、反射鏡３３に向かって凹状に湾曲している。とりわけ、湾曲部２１は、図４に示すように、レーザ光Ｌの照射方向の回動中心（図４に示す形態では、点Ｏで示される）を中心として円弧状に形成されていることが好ましい。すなわち、一の走査位置において照射されるレーザ光Ｌの光線と他の走査位置において照射されるレーザ光Ｌの光線との交点を中心として、レーザ光Ｌの走査方向に沿って円弧状に形成さる。この場合、各走査位置において、レーザ光Ｌをウェブ２に垂直に照射することが可能となる。ここで、走査位置とは、走査方向に沿って走査されている間におけるレーザ光Ｌの位置を示しており、例えば、走査開始時の走査位置は、図３および図４のＰ１で示され、レーザ光Ｌがウェブ２の幅方向中央部に照射される際の走査位置はＰ２で示され、走査終了時の走査位置は、Ｐ３で示される。これらＰ１、Ｐ２、Ｐ３におけるレーザ光Ｌの光線の交点が点Ｏとなっている。
【００３４】
図２および図３に示すように、湾曲部２１に、反射鏡３３によって走査されるレーザ光Ｌを通す案内板開口部２２が設けられている。これにより、案内板２０に対してレーザ光走査ヘッド３２の側とは反対側に配置されたウェブ２に、レーザ光Ｌを照射することが可能となっている。本実施の形態においては、案内板開口部２２は、レーザ光Ｌの走査方向に沿ってスリット状に形成されている。
【００３５】
湾曲部２１は、案内板開口部２２の搬送方向上流側に設けられた上流側湾曲部２１ａと、当該案内板開口部２２の搬送方向下流側に設けられた下流側湾曲部２１ｂと、を含んでいる。すなわち、案内板開口部２２は、上流側湾曲部２１ａと下流側湾曲部２１ｂとの間に配置されている。
【００３６】
また、案内板２０は、ウェブ２の搬送方向に沿ってＵ字状に形成され、ウェブ２は、案内板２０の外面（レーザ光発振部３１の側とは反対側の面）で案内されて搬送されるようになっている。すなわち、案内板２０は、湾曲部２１より搬送方向上流側に設けられた、上下方向に延びる入口部２３と、湾曲部２１より搬送方向下流側に設けられた、上下方向に延びる出口部２４と、を更に有している。これら入口部２３と出口部２４は、ウェブ２の幅方向において平坦状に形成されている。そして、案内板２０は、入口部２３から湾曲部２１に向かって徐々に湾曲するとともに、出口部２４から湾曲部２１に向かって徐々に湾曲するように、全体として滑らかに形成されている。なお、ウェブ２には、所定のテンションが負荷されていることにより、ウェブ２にしわが形成されることを抑制しながら、ウェブ２を案内板２０の形状に沿って案内することができる。そして、湾曲部２１においては、ウェブ２は、レーザ光Ｌの走査方向に沿って湾曲する、すなわち円弧状に形成される。
【００３７】
次に、このような構成からなる本実施の形態の作用について説明する。
【００３８】
図１に示すように、給紙部１０から供給されたウェブ２は、まず、蛇行補正部１１に搬送されて、ウェブ２の幅方向の位置が調整される。続いて、第１Ｓ字プルローラ１２、第１ダンサーローラ１３を通って案内板２０に搬送される。この間、第１ダンサーローラ１３においてウェブ２のテンションが測定され、測定されたウェブ２のテンションが所定の範囲から外れた場合には、第１Ｓ字プルローラ１２および第２Ｓ字プルローラ１５によりウェブ２の搬送速度が調整される。これにより、ウェブ２のテンションが調整される。
【００３９】
案内板２０の入口部２３に搬送されたウェブ２は、幅方向の形状が平坦状になっている。そして、ウェブ２は、平坦状の入口部２３から湾曲部２１に向かって、ウェブ２の形状を徐々に湾曲させながら案内される。そして、ウェブ２は、湾曲部２１において、当該湾曲部２１の形状に沿って湾曲する。すなわち、湾曲部２１におけるウェブ２の形状は、図４に示すように、レーザ光Ｌの照射方向の回動中心を中心として、レーザ光Ｌの走査方向に沿って円弧状になる。
【００４０】
円弧状に形成されたウェブ２に、案内板開口部２２を介してレーザ光Ｌが照射される。この場合、レーザ光走査ヘッド３２の反射鏡３３が回動する。これにより、レーザ光Ｌは、図３および図４に示すように、Ｐ１で示す走査位置から、Ｐ２で示す走査位置を通って、Ｐ３で示す走査位置まで走査される。すなわち、レーザ光Ｌは、ウェブ２の搬送方向に対して所定の角度で傾斜した方向に走査される。また、レーザ光Ｌが走査されている間、レーザ光Ｌは、間欠的にウェブ２に照射される。すなわち、レーザ光発振部３１において、レーザ光Ｌの発振と停止とが交互に繰返される。このようにして、図３に示すように、ウェブ２の幅方向に沿って延びるミシン目４０が形成される。
【００４１】
ウェブ２のレーザ光Ｌが照射された部分は、レーザ光Ｌによって焼き切られる。このようにして、図５に示すようなミシン目開口部４１が、複数形成される。この際、案内開口部２２に位置するウェブ２の形状を、湾曲部２１の上流側湾曲部２１ａおよび下流側湾曲部２１ｂによって、レーザ光Ｌの走査方向に沿って円弧状に維持することができる。このことにより、レーザ光Ｌは、図４に示すように、Ｐ１、Ｐ２、Ｐ３を含む各走査位置において、ウェブ２に対して垂直に照射される。このため、ウェブ２に形成される各ミシン目開口部４１の形状は、図５に示すように、各ミシン目開口部４１を形成する開口形成面４２が、ウェブ２の表面（または裏面）に対して傾斜することが抑制され、垂直に近くなる。なお、図５は、レーザ光Ｌの走査方向に沿ったミシン目開口部４１の断面を示している。また、ミシン目開口部４１のうちレーザ光走査ヘッド３２に近い側の部分からレーザ光Ｌが照射されてウェブ２が焼き切られるため、当該近い側の部分の方が、レーザ光走査ヘッド３２に遠い側の部分よりもレーザ光Ｌが照射される時間が長くなる。このため、ミシン目開口部４１のうちレーザ光走査ヘッド３２に近い側の部分が、開口が大きくなる傾向にある。
【００４２】
レーザ光Ｌによって焼き切られたウェブ２の屑は、図１に示すように、案内板２０の下方に設けられた集塵器１８に向かって自由落下して、集塵器１８に回収されて集塵される。
【００４３】
ミシン目４０が形成されたウェブ２は、図２に示すように、湾曲部２１から平坦状の出口部２４に向かって、ウェブ２の形状を徐々に平坦状に変えながら案内される。このことにより、ウェブ２の幅方向の形状は、出口部２４において平坦状になる。
【００４４】
その後、ウェブ２は、図１に示すように、第２ダンサーローラ１４および第２Ｓ字プルローラ１５を通って巻取部１６に搬送される。この間、第２ダンサーローラ１４においてウェブ２のテンションが測定され、測定されたウェブ２のテンションが所定の範囲から外れた場合には、第１Ｓ字プルローラ１２および第２Ｓ字プルローラ１５によりウェブ２の搬送速度が調整される。これにより、ウェブ２のテンションが調整される。
【００４５】
このように本実施の形態によれば、案内板２０の湾曲部２１において、ウェブ２は、レーザ光Ｌの走査方向に沿って湾曲するとともにレーザ光走査ヘッド３２の反射鏡３３に向かって凹状に湾曲し、この状態で、レーザ光Ｌが、レーザ光走査ヘッド３２から案内板開口部２２を介してウェブ２に照射される。このことにより、レーザ光Ｌの各走査位置において、ウェブ２に対して照射されるレーザ光Ｌの照射角度を、ウェブ２の表面（または裏面）に対して垂直に近づけることができる。このため、レーザ光Ｌによってウェブ２に形成されるミシン目開口部４１の開口形成面４２を、ウェブ２の表面に対して垂直に近づけることができ、ミシン目開口部４１の開口形成面４２の面積を低減することができる。この結果、ミシン目開口部４１の開口形成面４２に発生するウェブ２の焦げを抑制することができる。また、ミシン目開口部４１の開口形成面４２をウェブ２の表面に対して垂直に近づけることができるため、ウェブ２の表面から見た場合に、ミシン目開口部４１の開口形成面４２に発生した焦げを目立たなくさせることができ、ミシン目４０の外観が損なわれることを抑制できる。
【００４６】
また、本実施の形態によれば、案内板２０の湾曲部２１は、回動する反射鏡３３によって走査されるレーザ光Ｌの照射方向の回動中心を中心としてレーザ光Ｌの走査方向に沿って円弧状に形成されている。このことにより、各走査位置において、ウェブ２に対して照射されるレーザ光Ｌの照射角度を、ウェブ２の表面に対して垂直にすることができる。このことにより、ミシン目開口部４１の開口形成面４２に発生するウェブ２の焦げをより一層抑制することができるとともに、ミシン目４０の外観が損なわれることをより一層抑制できる。
【００４７】
また、本実施の形態によれば、案内板開口部２２の搬送方向両側に、上流側湾曲部２１ａおよび下流側湾曲部２１ｂが設けられている。このことにより、案内板開口部２２に位置するウェブ２の形状を、上流側湾曲部２１ａと下流側湾曲部２１ｂとによって、レーザ光Ｌの走査方向に沿って円弧状に維持することができる。このことにより、各走査位置において、ウェブ２に対して照射されるレーザ光Ｌの照射角度を、ウェブ２の表面に対してより一層確実に垂直にすることができる。
【００４８】
また、本実施の形態によれば、案内板開口部２２は、レーザ光Ｌの走査方向に沿ってスリット状に形成されている。このことにより、案内板開口部２２に位置するウェブ２の形状を、レーザ光Ｌの走査方向に沿って円弧状に維持することができる。このため、レーザ光Ｌの各走査位置において、ウェブ２に対して照射されるレーザ光Ｌの照射角度を、ウェブ２の表面に対してより一層確実に垂直にすることができる。また、この場合、ウェブ２と案内板２０との接触面積を増大させることができ、ウェブ２の搬送を安定化させることができる。
【００４９】
また、本実施の形態によれば、上述したように、案内板２０によってウェブ２を湾曲させることにより、ウェブ２の焦げを抑制している。このことにより、ランニングコストが増大することを防止でき、ウェブ２の焦げを低コストで抑制することができる。
【００５０】
また、本実施の形態によれば、案内板２０は、ウェブ２の搬送方向に沿ってＵ字状に形成されている。このことにより、平坦状のウェブ２を湾曲させる案内板２０のスペース効率を向上させて、ミシン目形成装置１の大型化を抑制することができる。
【００５１】
さらに、本実施の形態によれば、案内板２０の入口部２３および出口部２４は、ウェブ２の幅方向において平坦状に形成されており、案内板２０は、入口部２３から湾曲部２１に向かって徐々に湾曲するとともに、出口部２４から湾曲部２１に向かって徐々に湾曲している。このことにより、入口部２３から湾曲部２１に向かって、平坦状のウェブ２を徐々に湾曲させながら案内することができるとともに、湾曲部２１から出口部２４に向かって、湾曲しているウェブ２を徐々に平坦状にしながら案内することができる。このため、ウェブ２にしわが形成されることを抑制することができる。
【００５２】
なお、上述した本実施の形態においては、案内板２０の案内板開口部２２は、レーザ光Ｌの走査方向に沿ってスリット状に形成されている例について説明した。しかしながら、このことに限られることはなく、案内板開口部２２は、反射鏡３３によって走査されるレーザ光Ｌを通すことができれば、ウェブ２の搬送方向に沿って矩形状に形成されていてもよい。この場合、案内板開口部２２の面積を大きくすることができ、ウェブ２に、ミシン目４０以外のレーザ加工が可能となり、ミシン目形成装置１に汎用性を持たせることができる。
【００５３】
また、上述した本実施の形態においては、案内板２０は、ウェブ２の搬送方向に沿ってＵ字状に形成されている例について説明した。しかしながら、このことに限られることはなく、案内板２０は、ウェブ２の搬送方向に沿って、滑らかなＬ字状に形成されていてもよい。この場合、案内板２０の入口部２３または出口部２４を、上下方向に延びるように形成すればよい。
【００５４】
（第２の実施の形態）
次に、図６により、本発明の第２の実施の形態におけるミシン目形成装置について説明する。
【００５５】
図６に示す第２の実施の形態においては、ウェブが案内板に対してレーザ光発振器側に設けられるとともに、案内板がウェブの搬送方向に沿って直線状に形成されている点が主に異なり、他の構成は、図１乃至図５に示す第１の実施の形態と略同一である。なお、図６において、図１乃至図５に示す第１の実施の形態と同一部分には同一符号を付して詳細な説明は省略する。
【００５６】
図６に示すように、ウェブ２は、案内板２０に対してレーザ光発振器３０の側に配置されている。また、案内板２０は、ウェブ２の搬送方向に沿って直線状に形成されており、この案内板２０の上面でウェブ２が案内されるようになっている。そして、案内板２０は、湾曲部２１と、平坦状に形成された入口部２３および出口部２４と、を有している。このうち湾曲部２１は、第１の実施の形態と同様に、レーザ光Ｌの照射方向の回動中心を中心として円弧状に形成されていることが好ましい。なお、ウェブ２が、案内板２０に対してレーザ光発振器３０の側に配置されていることから、湾曲部２１には、図２および図３に示すような案内板開口部２２は設けられていない。
【００５７】
このように本実施の形態によれば、ウェブ２は、案内板２０に対してレーザ光発振器３０の側に配置されている。このことにより、案内板２０に、図２乃至４に示すような案内板開口部２２を設けることが不要となり、レーザ光発振器３０から直接的にウェブ２にレーザ光Ｌを照射することができる。このため、ウェブ２のレーザ光Ｌが照射される部分を、レーザ光Ｌの走査方向に沿ってより一層確実に円弧状に維持することができる。このため、レーザ光Ｌの各走査位置において、ウェブ２に対して照射されるレーザ光Ｌの照射角度を、ウェブ２の表面（または裏面）に対してより一層確実に垂直にすることができる。この結果、ウェブ２の焦げをより一層抑制するとともに、ミシン目４０の外観が損なわれることをより一層抑制することができる。
【００５８】
また、本実施の形態によれば、案内板２０は、ウェブ２の搬送方向に沿って直線状に形成されている。この場合、ウェブ２にしわが形成されることを抑制することができる。
【００５９】
以上、本発明の実施の形態について詳細に説明してきたが、本発明によるミシン目形成装置は、上記実施の形態に何ら限定されるものではなく、本発明の趣旨を逸脱しない範囲において種々の変更が可能である。
【符号の説明】
【００６０】
１      ミシン目形成装置
２      ウェブ
２０    案内板
２１    湾曲部
２１ａ  上流側湾曲部
２１ｂ  下流側湾曲部
２２    案内板開口部
２３    入口部
２４    出口部
３１    レーザ光発振部
３３    反射鏡
４０    ミシン目
Ｌ      レーザ光
【図１】
2014012289.tif 000003
【図２】
2014012289.tif 000004
【図３】
2014012289.tif 000005
【図４】
2014012289.tif 000006
【図５】
2014012289.tif 000007
【図６】
2014012289.tif 000008
【図７】
2014012289.tif 000009
【図８】
2014012289.tif 000010